(57)【要約】      （修正有）【課題】段板上の物の落下を防止し得る段形成構造体を提供する。【解決手段】フレーム２と、フレーム２に支持される段板３と、段板３の上方に配される落下防止具４とを含む組立式の段形成構造体１である。落下防止具４は、段板３の縁部に沿って連続して延びる防止板および防止板に直交しかつ防止板の長手方向に延びるフランジ板を含んでいる。このような段形成構造体１は、落下防止具４により、段板３上の物の位置や大きさによらず、その落下を確実に防止することができる。【選択図】図１
0003221258.tif 000002
【実用新案登録請求の範囲】
【請求項１】
フレームと、前記フレームに支持される段板と、前記段板の上方に配される落下防止具とを含む組立式の段形成構造体であって、
前記落下防止具は、前記段板の縁部に沿って連続して延びる防止板を含む、
段形成構造体。
【請求項２】
前記落下防止具は、前記防止板に直交しかつ前記防止板の長手方向に延びるフランジ板を含む、請求項１に記載の段形成構造体。
【請求項３】
前記落下防止具は、前記フランジ板が前記段板の上面に接した状態で取り付けられる、請求項２に記載の段形成構造体。
【請求項４】
前記段板は、床面より高い位置で支持される第１段板と、前記第１段板の後方側でかつ前記第１段板よりも高い位置で支持される第２段板を含み、
前記落下防止具は、前記第１段板及び前記第２段板の後方側の縁部に沿って取り付けられる、請求項１ないし３のいずれかに記載の段形成構造体。
【請求項５】
前記落下防止具は、締結手段により取り付けられる、請求項１ないし４のいずれかに記載の段形成構造体。
【請求項６】
前記落下防止具は、面ファスナーにより取り付けられる、請求項１ないし４のいずれかに記載の段形成構造体。
【請求項７】
前記フレームは、前記段板よりも上方に延びる上側フレームを含み、
前記落下防止具は、前記上側フレームに取り付けられる、請求項１ないし６のいずれかに記載の段形成構造体。
【請求項８】
前記落下防止具は、前記段板に取り付けられる、請求項１ないし６のいずれかに記載の段形成構造体。
【考案の詳細な説明】
【技術分野】
【０００１】
本考案は、段板上の物の落下を防止し得る組立式の段形成構造体に関する。
【背景技術】
【０００２】
従来、必要な場合に組み立てて段を形成するための段形成構造体が知られている。例えば、下記特許文献１には、一対の側フレームを継ぎ部材で結合した支持枠体に架け渡される段板とを含む段形成装置が提案されている。
【先行技術文献】
【特許文献】
【０００３】
【特許文献１】特開２００６−２８３４５０号公報
【考案の開示】
【考案が解決しようとする課題】
【０００４】
しかしながら、特許文献１の段形成装置を、例えば、段板上に椅子を並べて使用する観覧席として使用した場合には、椅子が移動したときに椅子の後方側の脚部が段板から滑り落ちるという問題があり、その改善が求められていた。
【０００５】
本考案は、以上のような実状に鑑み案出されたもので、段板上の物の落下を防止し得る段形成構造体を提供することを主たる目的としている。
【課題を解決するための手段】
【０００６】
本考案は、フレームと、前記フレームに支持される段板と、前記段板の上方に配される落下防止具とを含む組立式の段形成構造体であって、前記落下防止具は、前記段板の縁部に沿って連続して延びる防止板を含むことを特徴とする。
【０００７】
本考案の段形成構造体において、前記落下防止具は、前記防止板に直交しかつ前記防止板の長手方向に延びるフランジ板を含むのが望ましい。
【０００８】
本考案の段形成構造体において、前記落下防止具は、前記フランジ板が前記段板の上面に接した状態で取り付けられるのが望ましい。
【０００９】
本考案の段形成構造体において、前記段板は、床面より高い位置で支持される第１段板と、前記第１段板の後方側でかつ前記第１段板よりも高い位置で支持される第２段板を含み、前記落下防止具は、前記第１段板及び前記第２段板の後方側の縁部に沿って取り付けられるのが望ましい。
【００１０】
本考案の段形成構造体において、前記落下防止具は、締結手段により取り付けられるのが望ましい。
【００１１】
本考案の段形成構造体において、前記落下防止具は、面ファスナーにより取り付けられるのが望ましい。
【００１２】
本考案の段形成構造体において、前記フレームは、前記段板よりも上方に延びる上側フレームを含み、前記落下防止具は、前記上側フレームに取り付けられるのが望ましい。
【００１３】
本考案の段形成構造体において、前記落下防止具は、前記段板に取り付けられるのが望ましい。
【考案の効果】
【００１４】
本考案の段形成構造体は、段板の上方に配される落下防止具を含んでいる。このような段形成構造体は、落下防止具により段板上の物の落下を防止することができる。
【００１５】
本考案の段形成構造体において、落下防止具は、段板の縁部に沿って連続して延びる防止板を含んでいる。このような落下防止具は、段板上の物の位置や大きさによらず、その落下を確実に防止することができる。
【図面の簡単な説明】
【００１６】
【図１】本考案の段形成構造体の一実施形態を示す斜視図である。
【図２】落下防止具の拡大斜視図である。
【図３】フレーム及び段板の分解斜視図である。
【図４】本実施形態の第２落下防止具の斜視図である。
【図５】他の実施形態の落下防止具の斜視図である。
【図６】他の実施形態の段形成構造体の斜視図である。
【考案を実施するための最良の形態】
【００１７】
以下、本考案の実施の一形態が図面に基づき説明される。
図１は、本実施形態の段形成構造体１の斜視図である。図１に示されるように、本実施形態の段形成構造体１は、フレーム２と、フレーム２に支持される段板３と、段板３の上方に配される落下防止具４とを含んでいる。段形成構造体１は、分解組立可能な組立式であり、例えば、段板３の上に椅子（図示省略）が並べられる観覧席として好適に用いられる。このような段形成構造体１は、落下防止具４により段板３上の物、例えば、椅子の脚部の落下を防止することができる。
【００１８】
図２は、落下防止具４の拡大斜視図である。図２に示されるように、本実施形態の落下防止具４は、段板３の縁部に沿って連続して延びる防止板４ａを含んでいる。このような落下防止具４は、段板３上の物の位置や大きさによらず、その落下を確実に防止することができる。
【００１９】
より好ましい態様として、落下防止具４は、防止板４ａに直交しかつ防止板４ａの長手方向に延びるフランジ板４ｂを含んでいる。本実施形態の落下防止具４は、防止板４ａとフランジ板４ｂとにより、断面Ｌ字状に形成されている。このような落下防止具４は、長手方向の中央付近が押圧された場合にも変形が抑制され、段板３上の物の落下を確実に防止することができる。
【００２０】
図３は、フレーム２及び段板３の分解斜視図である。図３に示されるように、本実施形態のフレーム２は、一対の側フレーム５と、一対の側フレーム５を連結する連結具６とを含んでいる。連結具６には、例えば、屈曲可能なヒンジ構造６ａが採用されている。このようなフレーム２は、短時間での分解組立が可能であり、段形成構造体１の分解組立性を向上させることができる。
【００２１】
側フレーム５は、段板３を支持する支持部材５ａと、床面Ｆに接する脚部材５ｂと、支持部材５ａと脚部材５ｂとを連結する縦部材５ｃとを少なくとも含むのが望ましい。支持部材５ａは、例えば、段板３を取り付けるための複数の段板取付部７を含んでいる。支持部材５ａは、一対の側フレーム５間に配される段板３と、この段板３隣接して配される段板３とを支持可能な幅を有するのが望ましい。このような支持部材５ａは、フレーム２の総数を段板３の枚数よりも少なくすることができる。
【００２２】
図１に示されるように、フレーム２は、例えば、縦部材５ｃの長さが最も小さい第１フレーム２Ａと、縦部材５ｃの長さが第１フレーム２Ａよりも長い第２フレーム２Ｂと、縦部材５ｃの長さが第２フレーム２Ｂよりも長い第３フレーム２Ｃとを含んでいる。フレーム２は、第１フレーム２Ａと第２フレーム２Ｂの２種類から構成されていてもよく、４種類以上のフレーム２で構成されていてもよい。このようなフレーム２は、段数の変更等の所望の段構造への変更が容易である。
【００２３】
図１及び図３に示されるように、本実施形態の各フレーム２は、それぞれ、支持部材５ａ及び脚部材５ｂの長さが等しい。支持部材５ａ及び脚部材５ｂの長さは、例えば、第１フレーム２Ａ、第２フレーム２Ｂ及び第３フレーム２Ｃで異なるものであってもよい。このようなフレーム２は、所望の段構造を容易に実現することができる。
【００２４】
図３に示されるように、段板３は、略平面上の上面３ａを含むのが望ましい。上面３ａには、例えば、滑り止め用の小さい凹凸構造が採用されている。段板３の内部又は裏面側には、例えば、補強構造３ｂが採用されている。このような段板３は、重量軽減と強度とを両立することができる。
【００２５】
段板３は、段板取付部７に取り付けられる係止部８を含むのが望ましい。係止部８は、例えば、段板３の４隅に設けられた貫通孔を含んでいる。このような段板３は、外力が作用した場合であってもフレーム２から落下するおそれがない。
【００２６】
図１に示されるように、本実施形態の段板３は、床面Ｆより高い位置で支持される第１段板３Ａと、第１段板３Ａよりも高い位置で支持される第２段板３Ｂと、第２段板３Ｂよりも高い位置で支持される第３段板３Ｃとを含んでいる。第２段板３Ｂは、第１段板３Ａの後方側に位置するのが望ましい。第３段板３Ｃは、第２段板３Ｂの後方側に位置するのが望ましい。このような段板３は、階段状の観覧席を容易に形成することができる。
【００２７】
第１段板３Ａは、第１フレーム２Ａに支持されるのが望ましい。第２段板３Ｂは、第２フレーム２Ｂに支持されるのが望ましい。第３段板３Ｃは、第３フレーム２Ｃに支持されるのが望ましい。このような段板３は、分解組立が容易であり、段形成構造体１の分解組立性を向上させることができる。
【００２８】
本実施形態の第１段板３Ａ、第２段板３Ｂ及び第３段板３Ｃは、それぞれの形状が同一である。第１段板３Ａ、第２段板３Ｂ及び第３段板３Ｃは、例えば、前後方向の長さが異なるものであってもよい。第１段板３Ａ、第２段板３Ｂ及び第３段板３Ｃは、それぞれ、第１フレーム２Ａ、第２フレーム２Ｂ及び第３フレーム２Ｃに対応した形状であるのが望ましい。このような段板３は、所望の段構造を容易に実現することができる。
【００２９】
図２に示されるように、落下防止具４は、フランジ板４ｂが段板３の上面３ａに接した状態で取り付けられるのが望ましい。このような落下防止具４は、段板３の固定機能も有しており、段形成構造体１の分解組立性を向上させることができる。
【００３０】
本実施形態の落下防止具４は、締結手段９により取り付けられている。締結手段９は、例えば、蝶ボルトのように、工具を使用することなく締結可能であるのが望ましい。このような落下防止具４は、分解組立が容易であり、また、落下防止具４を確実に固定することができる。なお、落下防止具４は、例えば、面ファスナー（図示省略）により取り付けられていてもよい。この場合の落下防止具４は、分解組立がより容易である。
【００３１】
図１に示されるように、本実施形態の落下防止具４は、第１段板３Ａ、第２段板３Ｂ及び第３段板３Ｃの後方側の縁部に沿って取り付けられる。段構造が２段である場合には、落下防止具４は、例えば、第１段板３Ａ及び第２段板３Ｂの後方側の縁部に沿って取り付けられる。このように落下防止具４は、段板３の後方側の縁部に沿って取り付けられるのが望ましい。
【００３２】
段形成構造体１は、上段側から人が落下することを防止する柵１０を含むのが望ましい。柵１０は、例えば、柵１０から下方に延びる柵フレーム１１により支持されている。本実施形態の柵フレーム１１は、フレーム２に固定されている。このような柵１０は、分解組立が容易であり、また、人の落下を防止し得る強度を有することができる。
【００３３】
柵１０は、例えば、段板３の後方側に位置する後柵１０Ａと、段板３の側方側に位置する側柵１０Ｂとを含んでいる。このような柵１０は、全体としてコ字状に形成することができ、その強度が向上するので、人の落下をより確実に防止することができる。
【００３４】
図２に示されるように、フレーム２は、段板３よりも上方に延びる上側フレーム２ａを含むのが望ましい。上側フレーム２ａは、例えば、段板３の後方側に位置するフレーム２の縦部材５ｃである。フレーム２に柵フレーム１１が固定されている場合には、上側フレーム２ａは、例えば、柵フレーム１１であってもよい（図４参照）。
【００３５】
落下防止具４は、上側フレーム２ａに取り付けられるのが望ましい。このような落下防止具４は、取り付け部分が構造体であるので、強固に固定することができる。なお、落下防止具４は、段板３に取り付けられてもよい。この場合、落下防止具４は、段板３と一体的に分解組立することができるので、段形成構造体１の分解組立性をより向上させることができる。
【００３６】
図４は、本実施形態の第２落下防止具４Ｂの斜視図である。図１、図２及び図４に示されるように、本実施形態の落下防止具４は、両端が上側フレーム２ａの前方側に取り付けられる第１落下防止具４Ａと、一端が上側フレーム２ａの側面側に取り付けられる第２落下防止具４Ｂとを含んでいる。図２には、第２段板３Ｂ上に取り付けられる第１落下防止具４Ａが示され、図４には、第１段板３Ａ上に取り付けられる第２落下防止具４Ｂが示されている。
【００３７】
図４に示されるように、本実施形態の第２落下防止具４Ｂは、防止板４ａとフランジ板４ｂとに直交する取付板４ｃを含んでいる。取付板４ｃは、防止板４ａのフランジ板４ｂ側に延びるのが望ましい。第２落下防止具４Ｂは、例えば、柵フレーム１１の側面側に取付板４ｃを介して取り付けられている。第２落下防止具４Ｂは、締結手段９により取り付けられるのが望ましい。このような第２落下防止具４Ｂは、段板３の縁部に沿って確実に固定することができる。
【００３８】
図５は、他の実施形態の落下防止具１２の斜視図である。図５に示されるように、この実施形態の落下防止具１２は、段板３（図４に示す）の縁部に沿って連続して延びる防止板１２ａと、防止板１２ａに直交しかつ防止板１２ａの長手方向に延びるフランジ板１２ｂとを含んでいる。落下防止具１２は、防止板１２ａとフランジ板１２ｂとに直交する取付板１２ｃを含むのが望ましい。
【００３９】
この実施形態の取付板１２ｃは、防止板１２ａのフランジ板１２ｂとは反対側に延びている。このような落下防止具１２は、柵フレーム１１（図４に示す）の有無に関係なく、上側フレーム２ａ（図４に示す）に取り付けることができるので、落下防止具１２の種類を低減することができる。
【００４０】
図６は、他の実施形態の段形成構造体２１の斜視図である。上述の実施形態と共通する構成要素は、共通の符号が付され、その説明が省略される。図６に示されるように、この実施形態の段形成構造体２１は、フレーム２２と、フレーム２２に支持される段板２３と、段板２３の上方に配される落下防止具４とを含んでいる。段形成構造体２１は、分解組立可能な組立式であり、例えば、写真撮影用のひな段として好適に用いられる。段形成構造体２１は、例えば、階段であってもよい。
【００４１】
このような段形成構造体２１は、落下防止具４により、段板２３上の物、例えば、段板２３上の人の靴の落下を防止することができる。また、落下防止具４は、段板２３の縁部に沿って連続して延びる防止板４ａ（図２に示す）を含んでいるので、段板２３上の人の位置や靴の大きさによらず、その落下を確実に防止することができる。
【００４２】
この実施形態のフレーム２２は、一対の側フレーム２５と、一対の側フレーム２５を連結する連結具６とを含んでいる。この実施形態の段板２３は、床面Ｆより高い位置で支持される第１段板２３Ａと、第１段板２３Ａの後方側でかつ第１段板２３Ａよりも高い位置で支持される第２段板３Ｂとを含んでいる。
【００４３】
側フレーム２５は、第１段板２３Ａを支持する第１支持部材２５ａと、第２段板２３Ｂを支持する第２支持部材２５ｂとを少なくとも含むのが望ましい。このようなフレーム２２は、分解組立が容易であり、段形成構造体２１の分解組立性を向上させることができる。
【００４４】
他の実施形態として、段形成構造体１は、例えば、ステージややぐら、椅子と一体的に形成された観覧席等であってもよい。この場合、段板３は、床板や足場板、座面板等を含むのが望ましい。
【００４５】
また、上述の実施形態では、落下防止具４として、防止板４ａとフランジ板４ｂとを含む断面Ｌ字状のものが例示されたが、落下防止具４は、このような態様に限定されるものではない。落下防止具４は、例えば、防止板４ａのみで構成されていてもよく、断面形状がＴ字状やＨ字状等であってもよい。
【００４６】
以上、本考案の特に好ましい実施形態について詳述したが、本考案は、上述の実施形態に限定されることなく、種々の態様に変形して実施され得る。
【符号の説明】
【００４７】
１    段形成構造体
２    フレーム
３    段板
４    落下防止具
４ａ  防止板
【図１】
0003221258.tif 000003
【図２】
0003221258.tif 000004
【図３】
0003221258.tif 000005
【図４】
0003221258.tif 000006
【図５】
0003221258.tif 000007
【図６】
0003221258.tif 000008